(57)【要約】【課題】丸形端子またはＹ型端子を端子箱において簡単かつ確実に固定接続すること。【解決手段】丸形端子１３０の開口部１３１に挿入するための挿入部１１１を有する端子箱座１０１と、挿入部１１１を挿入可能な筒状部１２１を有する端子箱蓋１０２と、を備えた端子箱１００を提供することを特徴とする。１つの挿入部１１１を１つ以上の丸形端子１３０に挿入してもよいし、１つ以上のＹ型端子を挿入してもよい。あるいは１つの挿入部１１１を丸形端子およびＹ型端子に同時に挿入してもよい。【選択図】  図１
2020030971.tif 000002
【特許請求の範囲】
【請求項１】
丸形端子またはＹ型端子の開口部に挿入するための挿入部を有する端子箱座と、
前記挿入部を挿入可能な筒状部を有する端子箱蓋と、
を備えた端子箱。
【請求項２】
前記筒状部は、前記端子箱蓋を閉じて端子箱座に突き合わせた状態で、前記挿入部に挿入された丸形端子またはＹ型端子を、前記筒状部が前記挿入部の根本に向かって押圧する請求項１に記載の端子箱。
【請求項３】
前記筒状部は、前記端子箱蓋を閉じて端子箱座に突き合わせた状態で、前記挿入部に挿入された少なくとも２つの丸形端子または少なくとも２つのＹ型端子、もしくは少なくとも１つの丸形端子および少なくとも１つのＹ型端子がそれぞれ接触するように、前記筒状部が前記挿入部の根本に向かって押圧する請求項１に記載の端子箱。
【請求項４】
前記挿入部の外周面はテーパーになっており、根本に向かって径大になるように形成されている請求項１乃至３のいずれか１項に記載の端子箱。
【請求項５】
前記筒状部は、弾性部材によって形成される請求項１乃至４のいずれか１項に記載の端子箱。
【請求項６】
前記端子箱蓋を透明な部材を用いて形成した請求項１乃至３のいずれか１項に記載の端子箱。
【請求項７】
前記端子箱座は、さらに前記挿入部に挿入された丸形端子またはＹ型端子との接点を形成する突起を前記挿入部の根本周囲に設けた請求項１乃至６のいずれか１項に記載の端子箱。
【発明の詳細な説明】
【技術分野】
【０００１】
本発明は、端子箱に関する。
【背景技術】
【０００２】
上記技術分野において、特許文献１には、ガイド穴に通した端子線を、ガイド穴に直交する貫通穴に対してピン状端子を挿入に端子箱の開閉によってする技術が開示されている。
【先行技術文献】
【特許文献】
【０００３】
【特許文献１】特公平４−１２５９２号公報
【発明の概要】
【発明が解決しようとする課題】
【０００４】
しかしながら、上記文献に記載の技術では、二つの枠部の開閉によって端子線を挟み込んで固定するのみであり、電気的な接続を達成するためには、端子部材を差し込まなければならず、手間がかかっていた。
【０００５】
本発明の目的は、上述の課題を解決する技術を提供することにある。
【課題を解決するための手段】
【０００６】
上記目的を達成するため、本発明にかかる端子箱は、
丸形端子またはＹ型端子の開口部に挿入するための挿入部を有する端子箱座と、
前記挿入部を挿入可能な筒状部を有する端子箱蓋と、
を備えた。
【発明の効果】
【０００７】
本発明によれば、丸形端子またはＹ型端子を端子箱において簡単かつ確実に固定接続することができる。
【図面の簡単な説明】
【０００８】
【図１】本発明の第１実施形態に係る端子箱の構成を示す図である。
【図２】本発明の第１実施形態に係る端子箱の構成を示す図である。
【図３】本発明の第１実施形態に係る端子箱の構成を示す図である。
【図４】本発明の第１実施形態に係る端子箱の他の構成を示す図である。
【図５】本発明の第２実施形態に係る端子箱の構成を示す図である。
【図６】本発明の第３実施形態に係る端子箱の構成を示す図である。
【図７】本発明の第４実施形態に係る端子箱の構成を示す図である。
【図８】本発明のその他の実施形態に係る端子箱の構成を示す図である。
【発明を実施するための形態】
【０００９】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１０】
［第１実施形態］
本発明の第１実施形態としての端子箱１００について、図１を用いて説明する。端子箱１００は、端子箱座１０１と端子箱蓋１０２とを備える。端子箱座１０１は、丸形端子１３０の開口部１３１に挿入するための挿入部１１１を有する。また、端子箱座１０１は、挿入部１１１の根本周囲に、挿入部１１１に挿入された丸形端子１３０との接点を形成する突起１１２を備えている。さらに端子箱座１０１は、丸形端子１３０に接続されたコード１４０を逃がす凹部１１３を備えている。
【００１１】
また、端子箱蓋１０２は、挿入部１１１を挿入可能な筒状部１２１を有する。筒状部１２１は弾性部材によって形成されることが望ましい。
【００１２】
図２は、丸形端子１３０の開口部１３１を挿入部１１１に嵌め込んだ状態を示す図である。挿入部１１１は、根本に向けて径大となるようなテーパを有しているため、丸形端子１３０の挿入を軽く容易に行なうことができる。
【００１３】
図３は、端子箱蓋１０２を閉じた状態を示す透過図である。端子箱蓋１０２を閉じることにより、挿入部１１１が筒状部１２１に挿入される形になり、筒状部１２１の底面が、挿入部１１１に挿入された丸形端子１３０を、挿入部１１１の根本に向かって押圧する。
【００１４】
ここでは丸形端子について説明したが、Ｙ型端子を用いてもよい。また、図４のように、１つの挿入部１１１に対して２つ以上の丸形端子１３０、１４０を挿入接続してもよい。さらに図示はしないが、Ｙ型端子と丸形端子を組みあせて挿入部１１１に接続してもよい。
【００１５】
以上の構成により、丸形端子を端子箱において簡単に固定接続することができる。なお、本実施形態では分かりやすいように、挿入部１１１と筒状部１２１を一対のみ示しているが、本発明は当然これに限定されるものではなく、１つの端子箱に挿入部および筒状部が複数組設けられることが普通である。
【００１６】
［第２実施形態］
次に本発明の第２実施形態に係る端子箱５００について、図５を用いて説明する。図５は、本実施形態に係る端子箱５００の構成を説明するための図である。本実施形態に係る端子箱５００は、上記第１実施形態と比べると、端子箱座１０１に１つの大きな突起４１４を有する点で異なる。その他の構成および動作は、第１実施形態と同様であるため、同じ構成および動作については同じ符号を付してその詳しい説明を省略する。
【００１７】
突起４１４は、挿入部１１１に嵌め込まれたＹ型端子４３０の接続部（かしめ部）４３２を狭み込む位置に設けられている。これにより、コード４４０にテンションがかかった場合にも、Ｙ字端子４３０が挿入部１１１から逸脱することはなく、接続を保持することができる。
【００１８】
［第３実施形態］
次に本発明の第３実施形態に係る端子箱６００について、図６を用いて説明する。図５は、本実施形態に係る端子箱６００の構成を説明するための図である。本実施形態に係る端子箱６００は、上記第２実施形態と比べると、挿入部６１１が樽型である点で異なる。その他の構成および動作は、第１実施形態と同様であるため、同じ構成および動作については同じ符号を付してその詳しい説明を省略する。
【００１９】
挿入部６１１が樽型であるため、丸形端子１３０の開口部１３１がしっかりと挿入部６１１の根本まで嵌め込まれた場合には、端子１３０がしっかりと挿入部１１１に接続される。端子箱蓋１０２を開けた状態でも、端子の容易な逸脱を防止できる。
【００２０】
［第４実施形態］
次に本発明の第４実施形態に係る端子箱７００について、図７を用いて説明する。図５は、本実施形態に係る端子箱７００の構成を説明するための図である。本実施形態に係る端子箱７００は、上記第１実施形態と比べると、筒状部７２１がスプリングコイルである点で異なる。その他の構成および動作は、第１実施形態と同様であるため、同じ構成および動作については同じ符号を付してその詳しい説明を省略する。
【００２１】
筒状部７２１がスプリングコイルであれば、容易かつ確実に端子を挿入部１１１に押し込むことが可能となる。
【００２２】
［他の実施形態］
以上、実施形態を参照して本願発明を説明したが、本願発明は上記実施形態に限定されるものではない。本願発明の構成や詳細には、本願発明の技術的範囲内で当業者が理解し得る様々な変更をすることができる。例えば、図８に示すように、端子箱蓋８０２を透明な部材を用いて形成した端子箱８００でもよい。
【図１】
2020030971.tif 000003
【図２】
2020030971.tif 000004
【図３】
2020030971.tif 000005
【図４】
2020030971.tif 000006
【図５】
2020030971.tif 000007
【図６】
2020030971.tif 000008
【図７】
2020030971.tif 000009
【図８】
2020030971.tif 000010